(57)【特許請求の範囲】
【請求項１】
情報を入力するための入力部と、
前記入力部の上方を覆う上部部材、及び前記入力部の両側方を覆う側部部材を有する覗き見防止カバーと、
を備え、
前記上部部材は、
並列する複数の傾斜面であって、各傾斜面は前記入力部の操作者側から離れるにつれて低くなるように傾斜する、前記複数の傾斜面と、
前記複数の傾斜面のうち少なくとも１組の隣接する傾斜面の間に位置する開口部と、
を含み、
前記側部部材は、前記上部部材よりも前記入力部の操作者側に突き出している突出部材を含む、
自動取引装置。
【請求項２】
情報を入力するための入力部と、
前記入力部の上方を覆う上部部材を有する覗き見防止カバーと、
を備え、
前記上部部材は、
並列する複数の傾斜面であって、各傾斜面は前記入力部の操作者側から離れるにつれて低くなるように傾斜する、前記複数の傾斜面と、
前記複数の傾斜面のうち少なくとも１組の隣接する傾斜面の間に位置する開口部と、
前記少なくとも１組の隣接する傾斜面の間をつなぐ少なくとも１つ以上の第１の板状部材と、
を含み、
前記少なくとも１組の隣接する傾斜面の間には、前記第１の板状部材により区切られた複数の前記開口部が位置し、
前記複数の開口部のうち両端に存在する開口部は、両端部以外の開口部よりも面積が小さい、
自動取引装置。
【請求項３】
情報を入力するための入力部と、
前記入力部の上方を覆う上部部材を有する覗き見防止カバーと、
を備え、
前記上部部材は、
並列する複数の傾斜面であって、各傾斜面は前記入力部の操作者側から離れるにつれて低くなるように傾斜する、前記複数の傾斜面と、
前記複数の傾斜面のうち少なくとも１組の隣接する傾斜面の間に位置する開口部と、
波状の凹凸を有する波状部材と、
を含み、
前記複数の傾斜面は、前記波状部材に含まれ、
前記開口部は、前記波状部材のうち前記入力部の操作者側を向いている面に位置する、
自動取引装置。
【請求項４】
前記開口部は、一部または全部で、前記入力部に対する縦方向の視野角の大きさまたは向きが異なる、請求項１から３のいずれかに記載の自動取引装置。
【請求項５】
前記複数の傾斜面は、一部または全部で傾斜角が異なる、請求項１から４のいずれかに記載の自動取引装置。
【請求項６】
前記複数の傾斜面は、一部または全部で傾斜方向の長さが異なる、請求項１から５のいずれかに記載の自動取引装置。
【請求項７】
前記複数の傾斜面のうち２組以上の隣接する傾斜面の間に前記開口部が位置する場合に、当該２組以上の隣接する傾斜面は、一部または全部で、傾斜面間のギャップが異なる、請求項１から６のいずれかに記載の自動取引装置。
【請求項８】
前記上部部材は、前記突出部材に継合するように延出している継合部材を含む、請求項１に記載の自動取引装置。
【請求項９】
前記上部部材は、ルーバ状に配置された複数の第２の板状部材であって、各第２の板状部材は前記自動取引装置の操作者側から離れるにつれて低くなるように傾斜する、前記複数の第２の板状部材を含み、
前記複数の傾斜面は、前記複数の第２の板状部材の表面であり、
前記開口部は、前記複数の第２の板状部材のうち少なくとも１組の隣接する第２の板状部材の間に位置する、
請求項１から８のいずれかに記載の自動取引装置。
【請求項１０】
情報を入力するための入力部と、
前記入力部の上方を覆う上部部材、及び前記入力部の両側方を覆う側部部材を有する覗き見防止カバーと、
を備え、
前記上部部材は、
並列する複数の傾斜面であって、各傾斜面は前記入力部の操作者側から離れるにつれて低くなるように傾斜する、前記複数の傾斜面と、
前記複数の傾斜面のうち少なくとも１組の隣接する傾斜面の間に位置する開口部と、
を含み、
前記側部部材は、前記上部部材よりも前記入力部の操作者側に突き出している突出部材を含む、
情報処理端末。
【請求項１１】
自動取引装置または情報処理端末の入力部の上方を覆う上部部材及び前記入力部の両側方を覆う側部部材を有する覗き見防止カバーであって、
前記上部部材は、
並列する複数の傾斜面であって、各傾斜面は前記入力部の操作者側から離れるにつれて低くなるように傾斜する、前記複数の傾斜面と、
前記複数の傾斜面のうち少なくとも１組の隣接する傾斜面の間に位置する開口部と、
を含み、
前記側部部材は、前記上部部材よりも前記入力部の操作者側に突き出している突出部材を含む、
覗き見防止カバー。
【発明の詳細な説明】
【技術分野】
【０００１】
本発明は、自動取引装置、情報処理端末および覗き見防止カバーに関する。
【背景技術】
【０００２】
ＡＴＭ（Automated  Teller  Machine）、キャッシュディスペンサー等の自動取引装置を用いた取引の際には、エンドユーザ（顧客）は、キャッシュカードあるいは通帳等の口座番号を特定する物を提示し、暗証番号を入力することを求められる。また、ＰＩＮＰＡＤ等の情報処理端末を用いたクレジットカード等の決済の際には、エンドユーザは、クレジットカード等の暗証番号を入力することを求められる。
【０００３】
上記のようなエンドユーザによる暗証番号の入力は、暗証番号を他人に知られてしまうという危険を伴う。例えば、当該エンドユーザによる入力操作が、当該エンドユーザの後方で並んでいる別のエンドユーザにより覗き見されてしまい、その結果入力された暗証番号が当該別のエンドユーザに知られてしまう可能性がある。また、上記入力操作が、防犯目的で天井に設置されている監視カメラにより撮られ、その結果入力された暗証番号が監視カメラの映像を観た人に知られてしまう可能性がある。
【０００４】
このような入力操作の覗き見を防ぐために、例えば、下記特許文献１では、入力部の側方、前方、上方を覆うカバーであって、入力部の上方を覆う部分に蜂の巣状の六角形の孔が空けられたカバーが、提案されている。また、下記特許文献２では、入力部の側方、上方を覆うカバーであって、上部内面を観察可能な反射鏡をもつカバーが、提案されている。
【先行技術文献】
【特許文献】
【０００５】
【特許文献１】特開２００１−３２５６６５号公報
【特許文献２】特開２００８−２８７６４６号公報
【発明の概要】
【発明が解決しようとする課題】
【０００６】
しかし、上記特許文献１のカバーは、エンドユーザの後方や側方からの覗き見を防ぎ、エンドユーザに入力部および入力操作時の手を見せることができるが、天井に設置された監視カメラ等による入力部の上方からの覗き見を防ぐことができない。また、上記特許文献２のカバーは、エンドユーザの後方および側方からの覗き見並びに入力部の上方からの覗き見を防ぐことができるが、入力部および入力操作時の手を隠してしまう。そのため、エンドユーザは、入力部の各キーの位置を予測しながら入力しなければならず、誤った暗証番号を入力し得る。
【０００７】
そこで、本発明は、入力操作の覗き見を防ぎつつ、エンドユーザに入力部を視認させることを可能とする、新規かつ改良された自動取引装置、情報処理端末および覗き見防止カバーを提供しようとするものである。
【課題を解決するための手段】
【０００８】
上記課題を解決するために、本発明のある観点によれば、情報を入力するための入力部と、上記入力部の上方を覆う上部部材、及び上記入力部の両側方を覆う側部部材を有する覗き見防止カバーと、を備える自動取引装置が提供される。上記上部部材は、並列する複数の傾斜面であって、各傾斜面は上記入力部の操作者側から離れるにつれて低くなるように傾斜する、上記複数の傾斜面と、上記複数の傾斜面のうち少なくとも１組の隣接する傾斜面の間に位置する開口部と、を含む。上記側部部材は、上記上部部材よりも上記入力部の操作者側に突き出している突出部材を含む。
また、上記課題を解決するために、本発明の別の観点によれば、情報を入力するための入力部と、上記入力部の上方を覆う上部部材を有する覗き見防止カバーと、を備える自動取引装置が提供される。上記上部部材は、並列する複数の傾斜面であって、各傾斜面は上記入力部の操作者側から離れるにつれて低くなるように傾斜する、上記複数の傾斜面と、上記複数の傾斜面のうち少なくとも１組の隣接する傾斜面の間に位置する開口部と、上記少なくとも１組の隣接する傾斜面の間をつなぐ少なくとも１つ以上の第１の板状部材と、を含む。上記少なくとも１組の隣接する傾斜面の間には、上記第１の板状部材により区切られた複数の上記開口部が位置する。上記複数の開口部のうち両端に存在する開口部は、両端部以外の開口部よりも面積が小さい。
また、上記課題を解決するために、本発明の別の観点によれば、情報を入力するための入力部と、上記入力部の上方を覆う上部部材を有する覗き見防止カバーと、を備える自動取引装置が提供される。上記上部部材は、並列する複数の傾斜面であって、各傾斜面は上記入力部の操作者側から離れるにつれて低くなるように傾斜する、上記複数の傾斜面と、上記複数の傾斜面のうち少なくとも１組の隣接する傾斜面の間に位置する開口部と、波状の凹凸を有する波状部材と、を含む。上記複数の傾斜面は、上記波状部材に含まれ、上記開口部は、上記波状部材のうち上記入力部の操作者側を向いている面に位置する。
【０００９】
また、上記開口部は、一部または全部で、上記入力部に対する縦方向の視野角の大きさまたは向きが異なってもよい。
【００１０】
また、上記複数の傾斜面は、一部または全部で傾斜角が異なってもよい。
【００１１】
また、上記複数の傾斜面は、一部または全部で傾斜方向の長さが異なってもよい。
【００１２】
また、上記複数の傾斜面のうち２組以上の隣接する傾斜面の間に上記開口部が位置する場合に、当該２組以上の隣接する傾斜面は、一部または全部で、傾斜面間のギャップが異なってもよい。
【００１５】
また、上記上部部材は、上記突出部材に継合するように延出している継合部材を含んでもよい。
【００１８】
また、上記上部部材は、ルーバ状に配置された複数の第２の板状部材であって、各第２の板状部材は上記自動取引装置の操作者側から離れるにつれて低くなるように傾斜する、上記複数の第２の板状部材を含み、上記複数の傾斜面は、上記複数の第２の板状部材の表面であり、上記開口部は、上記複数の第２の板状部材のうち少なくとも１組の隣接する第２の板状部材の間に位置してもよい。
【００２０】
また、上記課題を解決するために、本発明の別の観点によれば、情報を入力するための入力部と、上記入力部の上方を覆う上部部材、及び上記入力部の両側方を覆う側部部材を有する覗き見防止カバーと、を備える情報処理端末が提供される。上記上部部材は、並列する複数の傾斜面であって、各傾斜面は上記入力部の操作者側から離れるにつれて低くなるように傾斜する、上記複数の傾斜面と、上記複数の傾斜面のうち少なくとも１組の隣接する傾斜面の間に位置する開口部と、を含む。上記側部部材は、上記上部部材よりも上記入力部の操作者側に突き出している突出部材を含む。
【００２１】
また、上記課題を解決するために、本発明の別の観点によれば、自動取引装置または情報処理端末の入力部の上方を覆う上部部材及び上記入力部の両側方を覆う側部部材を有する覗き見防止カバーが提供される。上記上部部材は、並列する複数の傾斜面であって、各傾斜面は上記入力部の操作者側から離れるにつれて低くなるように傾斜する、上記複数の傾斜面と、上記複数の傾斜面のうち少なくとも１組の隣接する傾斜面の間に位置する開口部と、を含む。上記側部部材は、上記上部部材よりも上記入力部の操作者側に突き出している突出部材を含む。
【発明の効果】
【００２２】
以上説明したように本発明に係る自動取引装置、情報処理端末および覗き見防止カバーによれば、入力操作の覗き見を防ぎつつ、エンドユーザに入力部を視認させることが可能となる。
【図面の簡単な説明】
【００２３】
【図１】第１の実施形態に係る自動取引装置の操作例を説明するための説明図である。
【図２】第１の実施形態に係る自動取引装置の概略図である。
【図３】第１の実施形態に係る自動取引装置の覗き見防止カバーの斜視図である。
【図４】第１の実施形態に係る自動取引装置の覗き見防止カバーの断面図である。
【図５】第１の実施形態に係る開口部の視野角を説明するための説明図である。
【図６】傾斜面の傾きによる視野角の調整を説明するための説明図である。
【図７】傾斜面の長さによる視野角の調整を説明するための説明図である。
【図８】傾斜面間のギャップによる視野角の調整を説明するための説明図である。
【図９】第１の実施形態に係る自動取引装置の操作例を説明するための説明図である。
【図１０】例示的な情報処理端末の正面図である。
【図１１】例示的な情報処理端末の下面図である。
【図１２】例示的な情報処理端末の側面図である。
【図１３】第２の実施形態に係る自動取引装置の概略図である。
【図１４】第２の実施形態に係る自動取引装置の覗き見防止カバーの斜視図である。
【図１５】第２の実施形態に係る自動取引装置の覗き見防止カバーの断面図である。
【図１６】第２の実施形態に係る開口部の視野角を説明するための説明図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
＜１．はじめに＞
ＡＴＭ、キャッシュディスペンサー等の自動取引装置を用いた取引、またはＰＩＮＰＡＤ等の情報処理端末に用いたクレジットカード等の決済の際に、エンドユーザは、暗証番号を入力するために、それらの入力部に対する入力操作を行う必要がある。当該入力操作が、他人に覗き見られてしまった場合に、当該他人に暗証番号を知られてしまう可能性がある。よって、暗証番号を知られないようにするために、自動取引装置または情報処理端末には、それらの入力部を覆う覗き見防止カバーを設けられる。その結果、他人に暗証番号を知られてしまう可能性が低減される。
【００２６】
また、銀行、店舗等には防犯を目的とした監視カメラが天井に設けられていることが多い。このような監視カメラを考慮すると、自動取引装置または情報処理端末の入力部に対する入力操作は、監視カメラに撮られることによって、当該監視カメラの映像を見た他人に暗証番号を知られてしまう可能性もある。このような監視カメラを考慮すると、覗き見防止カバーは、入力部の上方からの覗き見も防ぐことを求められる。
【００２７】
一方、自動取引装置または情報処理端末を利用するエンドユーザは、それらの入力部に対する入力操作を行う際には、多くの場合に当該入力部の斜め上方に自らの頭をもっていくことになる。そして、エンドユーザは、入力操作を行う際に入力部と入力操作時の手を見ることができなければ、誤入力してしまう可能性がある。したがって、覗き見防止カバーは、エンドユーザから入力部と入力操作時の手を隠さないようにすることも求められる。
【００２８】
しかしながら、覗き見防止カバーは、入力部の上方を覆わないようにすると、エンドユーザに入力部と入力操作時の手を見せることができるが、入力部の上方からの覗き見を防ぐことができない。一方で、覗き見防止カバーは、入力部の上方を単純に覆ってしまうと、入力部の上方からの覗き見を防ぐことができるが、エンドユーザから入力部と入力操作時の手を隠してしまう。そこで、以降に説明される各実施形態では、これらの要求を両方とも満たすことができる自動取引装置およびその覗き見防止カバーが説明される。すなわち、例えば図１に示されるように、自動取引装置１およびその覗き見防止カバー１０によれば、エンドユーザすなわち入力部２０の操作者１０００は、入力部２０と入力操作時の手を見ることができ、かつ、監視カメラ２０００は、入力部２０を撮ることができない。覗き見防止カバー１０の内側からの光は、操作者１０００に及びつつも、操作者１０００の最も奥側の点である最奥点１１００よりも奥側には届かない。よって、上記光は監視カメラ２０００には届かず、監視カメラ２０００は入力部２０および入力操作時の手を撮ることができない。なお、当然のことながら、入力部２０が位置する自動取引装置１の面は、図１では傾斜した面であるが、傾斜のない水平の面であってもよい。覗き見防止カバー１０は、入力部２０が位置する自動取引装置１の面の傾斜に合わせて実装される。
【００２９】
＜２．第１の実施形態＞
図２〜図９を用いて、第１の実施形態に係る自動取引装置について説明する。
【００３０】
（自動取引装置１の構成）
図２は、第１の実施形態に係る自動取引装置１の概略図である。図２に示されるとおり、自動取引装置１は、覗き見防止カバー１０と入力部２０とを備える。入力部２０は、操作者１０００が入力操作により暗証番号等の情報を入力するための構成要素である。また、覗き見防止カバー１０は、入力部２０への入力操作の覗き見を防止するための構成要素である。自動取引装置１は、操作者１０００の入力操作によって自動取引が可能な装置であり、金融機関の店舗、コンビニエンスストア等の小売店、公共施設等に設置される。自動取引装置１は、入金取引や出金取引だけでなく現金を介さない取引も処理し得る。自動取引装置１の一例としては、現金自動預払機（ＡＴＭ：Ａｕｔｏｍａｔｅｄ  Ｔｅｌｌｅｒ  Ｍａｃｈｉｎｅ）が挙げられる。図１に示されるように、操作者１０００は、自動取引装置１の正面に立ち、入力部２０等を操作して必要な取引を行う。なお、本実施形態では一例として自動取引装置１が説明されるが、当然のことながら、本実施形態における自動取引装置１の技術的な特徴は、ＰＩＮＰＡＤ等の情報処理端末にも適用し得る。
【００３１】
（覗き見防止カバー１０の構成）
図３は、第１の実施形態に係る自動取引装置１の覗き見防止カバー１０の斜視図である。また、図４は、同覗き見防止カバー１０の断面図である。図４の左側が自動取引装置１の正面側、すなわち操作者１０００が位置する側にあたる。図３および図４に示されているとおり、覗き見防止カバー１０は、入力部２０の上方を覆う上部部材１００と、入力部２０の両側方を覆う側部部材２００を有する。上部部材１００は、その両側面にて側部部材２００の上部側面と接合している。これにより、上部部材１００は、側部部材２００に支持され、入力部２０の上方に浮いた状態で、入力部２０を覆うようになっている。操作者１０００は、上部部材１００および側部部材２００にて形成された間口から手を挿入し、入力部２０を操作する。上部部材１００および側部部材２００は、不透明であってもよく、または、入力部２０への入力操作が見られない程度に半透明であってもよい。なお、上部部材１００および側部部材２００は、図３に示されるように明確に区分されている必要はなく、例えばその境界部分がなめらかな曲面により継合されていてもよい。
【００３２】
図３および図４に示されるとおり、上部部材１００は、入力部２０の操作者側から離れるにつれて低くなるように傾斜する板状部材１１０（以下、「傾斜板状部材１１０」と呼ぶ）を含む。ここでは、複数の当該傾斜板状部材１１０が、ルーバ状に配置されている。傾斜板状部材１１０の両面は、入力部２０の操作者側から離れるにつれて低くなるように傾斜する傾斜面１４０である。よって、複数の当該傾斜面１４０が並列している。なお、ここでの傾斜面１４０は、斜板状部材１１０の両面であると説明されたが、斜板状部材１１０の両面、裏面（図４での左側にある面）のみ、または表面（図４での右側にある面）のみのいずれを指してもよい。また、板状部材１１０および傾斜面１４０は、図４では平面として表されているが、入力部２０の操作者側から離れるにつれて低くなるように傾斜する限り、例えば曲面であってもよく、また凹凸を含んでいてもよい。
【００３３】
また、上部部材１００は、隣接する傾斜板状部材１１０あるいは隣接する傾斜面１４０の間をつなぐ板状部材１２０（以下、「つなぎ板状部材１２０」）を含む。傾斜板状部材１１０は入力部２０に対して横方向に配置され、つなぎ板状部材１２０は入力部２０に対して縦方向に配置され、これにより、傾斜板状部材１１０およびつなぎ板状部材１２０はここでは格子状に形成されている。なお、つなぎ板状部材１２０は、隣接する傾斜板状部材１１０のペアに応じて、異なる位置に異なる数だけ設けられていてもよい。
【００３４】
また、上部部材１００は、隣接する傾斜板状部材１１０の間、すなわち隣接する傾斜面１４０の間に位置する開口部１３０を含む。ここでは、隣接する傾斜面１４０の間には、つなぎ板状部材１２０により区切られた複数の開口部１３０が位置する。
【００３５】
（開口部１３０の視野角）
図５は、第１の実施形態に係る開口部１３０の視野角を説明するための説明図である。図５は、図４に示した隣接する傾斜板状部材１１０の一組を拡大したものである。図５を参照すると、隣接する２つの傾斜板状部材１１０と、当該傾斜板状部材１１０上の傾斜面１４０と、当該傾斜面１４０の間に位置する開口部１３０とが示されている。図５に示されるように、開口部１３０から覗き見防止カバーの内部を視認可能な位置は、対向する一方の傾斜面１４０の下端（ＥＡ１、ＥＡ２）から他方の傾斜面１４０の上端（ＥＢ１、ＥＢ２）へと伸びる２つの平面（図５での点線）に挟まれる範囲の位置、すなわち入力部２０に対する縦方向の視野角θｋ内に含まれる位置に限られる。換言すると、覗き見防止カバーの内部からの光は、傾斜面１４０により光が遮られるため、開口部１３０の視野角θｋ内に含まれる方向にしか届かない。
【００３６】
傾斜面１４０は入力部２０の操作者側から離れるにつれて低くなる斜面であるため、開口の角度を示す視野角θｋは、真上（天井）の方向ではなく、入力部２０の操作者の視線が位置する方向を向くことになる。したがって、図１に示されるように、このような傾斜面１４０と当該傾斜面１４０の間に位置する開口部１３０によって、入力部２０の上方からの覗き見を防止しつつ、入力部２０の操作者が入力部２０および入力操作時の手を見えるようにすることが可能となる。
【００３７】
さらに、上方からの覗き見を防ぎつつ入力部２０および入力操作時の手を操作者により見やすくする最適な覗き見防止カバー１０を実現するために、例えば、開口部１３０は、一部または全部で、上記視野角θｋの大きさまたは向きが異なる。ここでの視野角θｋの大きさとは、角θｋの値であり、視野角θｋの向きとは、例えばθｋの中央の角度（すなわちθｋ／２に該当する角度）が向いている方向である。一例として、操作者側から遠い開口部１３０の視野角は、真上（天井）の方向に視野角が及ばないようにし、操作者側から近い開口部１３０の視野角は、ある程度真上の方向に視野角が及ぶようにしてもよい。これにより、入力部２０の操作者は、図１および後述の図９に示されるように覗き見防止カバー１０の上方に頭をもってくる場合に、自身から近い開口部１３０を含む全ての開口部１３０から覗き見防止カバー１０の中を見ることができ、かつ、自身から遠い開口部１３０からの視野角を含め全ての開口部１３０の視野角を自身の頭と体で覆うことができる。
【００３８】
開口部１３０によって視野角θｋの大きさまたは向きが異なるようにするために、例えば、複数の傾斜面１４０は、一部または全部で傾斜角が異なってもよい。図６は、傾斜面１４０の傾きによる視野角の調整を説明するための説明図である。図６を参照すると、傾斜板状部材１１０ａおよび傾斜板状部材１１０ｂ、傾斜面１４０ａおよび傾斜面１４０ｂ、並びにこれらの間に位置する開口部１３０が示されている。図６のＡは、傾斜面１４０ａおよび傾斜面１４０ｂの水平方向に対する傾斜角を共にαとした場合を示す。一方で、図６のＣは、傾斜面１４０ａの水平方向の傾斜角をαとし、傾斜面１４０ｂの水平方向に対する傾斜角をβ（α＜β）とした場合を示す。このように傾斜面１４０ｂの傾斜角が変わると、図６のＢおよびＤのように、開口部１３０の視野角θｋの大きさおよび向きが変わる。具体的には、図６のＤのように、傾斜面１４０ｂの傾斜角をより小さくした場合に、視野角θｋの大きさがより小さくなり、また視野角θｋの向きが真上（天井）の方向よりもより入力部２０の操作者の方向を向くようになっている。このように、複数の傾斜面１４０の一部または全部の傾斜角を異なるようにすることで、開口部１３０の一部または全部の視野角θｋの大きさまたは向きを異なるようにすることができる。
【００３９】
また、開口部１３０によって視野角θｋの大きさまたは向きが異なるようにするために、例えば、複数の傾斜面１４０は、一部または全部で傾斜方向の長さが異なってもよい。図７は、傾斜面１４０の長さによる視野角の調整を説明するための説明図である。図７を参照すると、傾斜板状部材１１０ａおよび傾斜板状部材１１０ｂ、傾斜面１４０ａおよび傾斜面１４０ｂ、並びにこれらの間に位置する開口部１３０が示されている。図７のＡは、傾斜面１４０ａおよび傾斜面１４０ｂの傾斜方向の長さを共にＬ１とした場合を示す。一方で、図７のＣは、傾斜面１４０ａの傾斜方向の長さをＬ１とし、傾斜面１４０ｂの傾斜方向の長さをＬ２（Ｌ１＜Ｌ２）とした場合を示す。このように傾斜面１４０ｂの傾斜方向の長さが変わると、図７のＢおよびＤのように、開口部１３０の視野角θｋの大きさおよび向きが変わる。具体的には、図７のＤのように、傾斜面１４０ｂの傾斜方向の長さをより長くした場合に、視野角θｋの大きさがより小さくなり、また視野角θｋの向きが真上（天井）の方向よりもより入力部２０の操作者の方向を向くようになっている。このように、複数の傾斜面１４０の一部または全部の傾斜方向の長さを異なるようにすることで、開口部１３０の一部または全部の視野角θｋの大きさまたは向きを異なるようにすることができる。
【００４０】
また、開口部１３０によって視野角θｋの大きさまたは向きが異なるようにするために、例えば、隣接する傾斜面１４０は、一部または全部で、傾斜面１４０間のギャップが異なってもよい。ここでのギャップとは、例えば、対向する傾斜面１４０ａと１４０ｂとの間の、各面に対して垂直な方向の距離（間隔）である。図８は、傾斜面１４０間のギャップによる視野角の調整を説明するための説明図である。図８を参照すると、傾斜板状部材１１０ａおよび傾斜板状部材１１０ｂ、傾斜面１４０ａおよび傾斜面１４０ｂ、並びにこれらの間に位置する開口部１３０が示されている。図８のＡは、傾斜面１４０ａと傾斜面１４０ｂとの間のギャップをＷ１とした場合を示す。一方で、図８のＣは、傾斜面１４０ａと傾斜面１４０ｂとの間のギャップをＷ２（Ｗ１＞Ｗ２）とした場合を示す。このように隣接する傾斜面１４０の間のギャップが変わると、図８のＢおよびＤのように、開口部１３０の視野角θｋの大きさおよび向きが変わる。具体的には、図８のＤのように、傾斜面１４０ａと傾斜面１４０ｂとの間のギャップを小さくした場合に、視野角θｋの大きさがより小さくなり、また視野角θｋの向きが真上（天井）の方向よりもより入力部２０の操作者の方向を向くようになっている。このように、隣接する傾斜板状部材１１０（傾斜面１４０）の一部または全部のギャップを異なるようにすることで、開口部１３０の一部または全部の視野角θｋの大きさまたは向きを異なるようにすることができる。
【００４１】
なお、当然のことながら、傾斜面１４０の傾斜角、傾斜面１４０の傾斜方向の長さ、および隣接する傾斜面１４０間のギャップのうちの、いずれか２種類以上を異なるようにすることで、開口部１３０の視野角θｋの大きさまたは向きを異なるようにしてもよい。
【００４２】
（操作実施時の例）
図９は、第１の実施形態に係る自動取引装置１の操作例を説明するための説明図である。図９を参照すると、自動取引装置１、覗き見防止カバー１０、入力部２０、操作者１０００、操作者１０００にとって最も奥側にある最奥点１１００、および監視カメラ２０００が示されている。
【００４３】
図９に示されるように、覗き見防止カバー１０の内側からの光が真上の方向（天井の方向）に漏れないようにしつつ、入力部２０および入力操作時の手を操作者１０００により見えやすくするために、各開口部１３０の視野角θ１〜θｎの大きさまたは向きは、一部または全部で異なっている。図９では、視野角θ１〜θｎの大きさまたは向きが、一部または全部で異なるように、傾斜面１４０は、一部または全部で傾斜方向の長さが異なっている。ここでは、例えば、開口部が操作者１０００側から遠いほど、その傾斜角θｋの大きさより小さく、その傾斜角θｋの向きがより真上の方向には向かないようになっている。換言すると、開口部が操作者１０００側から近いほど、その傾斜角θｋの大きさがより大きく、またその傾斜角θｋの向きがより真上の方向を向くようになっている。その結果、覗き見防止カバー１０の内部からの光が、各開口部１３０を通って、最奥部１１００よりも奥側（図９の右側）には及ばず、かつ操作者１０００の目には十分に届くようになっている。なお、覗き見防止カバーの内部からの光は、操作者１０００の方に広がったとしても、操作者１０００の体により、後側には漏れなくなっている。このように、覗き見防止カバー１０は、入力部２０の上方からの覗き見を防ぎつつ、操作者１０００に入力部２０および入力操作時の手を視認させることを可能にしている。
【００４４】
（その他の利点）
覗き見防止カバー１０が有する側部部材２００は、例えば、入力部２０の操作者１０００の斜め後ろや横からの覗き見も防止することができる。
【００４５】
また、上位部材１００に含まれるつなぎ板状部材１２０は、入力部２０の操作者１０００の斜め後ろや横から開口部１３０の中への覗き込みに対しても、入力操作を隠すことができる。つなぎ板状部材１２０が、覗き見防止カバー１０の内側からの光を遮断するためである。
【００４６】
また、入力部２０の操作者の手が挿入される覗き見防止カバー１０の間口は、当該手が挿入されるのに必要十分な高さとなっているため、覗き見防止カバー１０の内側は、入力操作時に操作者の手によって隠される。よって、覗き見防止カバー１０は、覗き見防止カバー１０の間口からの覗き見を防止することができる。
【００４７】
＜３．第２の実施形態＞
図１０〜図１６を用いて、第２の実施形態に係る自動取引装置について説明する。
【００４８】
（覗き見防止カバーの要件）
第２の実施形態に係る自動取引装置について説明する前に、図１０〜図１２を参照して、まずその前提となる覗き見防止カバーの要件について説明する。
【００４９】
図１０〜図１２は、それぞれ、例示的な情報処理端末９の正面図、下面図および側面図である。図１０〜図１２を参照すると、例示的な情報処理端末９は、入力部８０と覗き見防止カバー９０とを備える。
【００５０】
図１０を参照すると、情報処理端末９の入力部８０の特定のキーを中心とする水平面上の角度β（以下、「水平角度β」と呼ぶ）が示されている。また、図１１および図１２を参照すると、覗き見防止カバー９０が上記特定のキーを隠すことが可能な、水平面に対する角度α（以下、「保護角度α」と呼ぶ）が示されている。また、図１２を参照すると、情報処理端末９が水平面に対して傾斜する角度δが示されている。ここで、水平角度βに応じて覗き見防止カバー９０が実現すべき保護角度αは、以下のような要件を満たすべきであることが分かった。
【００５１】
【表１】
0005747652.tif 000002
【００５２】
上記の保護角度αの要件を満たすように、以下のような第２の実施形態に係る自動取引装置を導き出した。
【００５３】
（自動取引装置３の構成）
図１３は、第２の実施形態に係る自動取引装置３の概略図である。図１３に示されるとおり、自動取引装置３は、入力部２０と覗き見防止カバー３０とを備える。図２の自動取引装置１と同様に、入力部２０は、操作者１０００が入力操作により暗証番号等の情報を入力するための構成要素である。また、覗き見防止カバー３０は、入力部２０への入力操作の覗き見を防止するための構成要素である。
【００５４】
（覗き見防止カバー３０の構成）
図１４は、第２の実施形態に係る自動取引装置３の覗き見防止カバー３０の斜視図である。また、図１５は、同覗き見防止カバー３０の断面図である。図１５の左側が自動取引装置３の正面側、つまり操作者１０００が位置する側にあたる。図１４および図１５に示されているとおり、覗き見防止カバー３０は、入力部２０の上方を覆う上部部材３００と、入力部２０の両側方を覆う側部部材４００とを有する。上部部材３００は、その両側端にて側部部材４００と継合している。これにより、上部部材３００は、側部部材４００に支持され、入力部２０の上方に浮いた状態で入力部２０を覆うようになっている。操作者１０００は、上部部材３００および側部部材４００にて形成された間口から手を挿入し、入力部２０を操作する。上部部材３００および側部部材４００は、不透明であってもよく、または、入力部２０への入力操作が見えない程度に半透明であってもよい。なお、上部部材３００および側部部材４００は、図１４に示されているよりもより明確に区分されていてもよく、または図１４に示されているよりもより境界部分がなめらかな曲面により継合されていてもよい。
【００５５】
図１４および図１５に示されているとおり、上部部材３００は、波状の凹凸を有する波状部材３１０を含む。また、波状部材３１０は、入力部の操作者側から離れるにつれて低くなるように傾斜する傾斜面３４０を含む。このように、第２の実施形態においても、第１の実施形態と同様に、上部部材３００において複数の傾斜面３４０が並列している。なお、ここでの傾斜面３４０は、波状部材３１０に含まれている板状部材の両面、裏面（図１５での左側にある面）のみ、または表面（図１５での右側にある面）のみのいずれを指してもよい。また、傾斜面３４０は、ここでは平面として表されているが、入力部２０の操作者側から離れるにつれて低くなるように傾斜する限り、例えば曲面であってもよく、また凹凸していてもよい。また、当然のことながら、波状部材３１０に含まれる凹凸の数は、どのような数であってもよい。
【００５６】
また、上部部材３００は、隣接する傾斜板面３４０の間をつなぐ板状部材３２０（以下、「つなぎ板状部材３２０」）を含む。なお、つなぎ板状部材３２０は、隣接する傾斜面３４０のペアに応じて、異なる位置に異なる数だけ設けられていてもよい。
【００５７】
また、上部部材３００は、隣接する傾斜面３４０の間に位置する開口部３３０を含む。ここでは、隣接する傾斜面３４０の間には、つなぎ板状部材３２０により区切られた複数の開口部３３０が位置する。当該開口部３３０は、より具体的には、波状部材３１０のうち傾斜面３４０とは逆側の面、すなわち入力部２０の操作者側を向いている面に位置している。上記複数の開口部３３０のうち両端に存在する開口部３３０は、例えば、両端部以外の開口部３３０よりも面積が小さくなっている。
【００５８】
一方で、側部部材４００は、上部部材３００よりも入力部２０の操作者側に突き出している突出部材４１０を含む。そして、上部部材３００は、突出部材４１０に継合するように演出している継合部材３５０を含む。
【００５９】
（開口部３３０の視野角）
図１６は、第２の実施形態に係る開口部の視野角を説明するための説明図である。図１６は、図１５に示した波状部材３１０を拡大したものである。図１６を参照すると、波状部材３１０と、当該波状部材３１０上の傾斜面３４０と、当該傾斜面３４０の間に位置する開口部３３０とが示されている。図１６に示されるように、開口部３３０から覗き見防止カバー３０の内部を視認可能な位置は、対向する一方の傾斜面３４０の下端（ＥＡ３、ＥＡ４、ＥＡ５、ＥＡ６）から他方の傾斜面３４０の上端（ＥＢ３、ＥＢ４、ＥＢ５、ＥＢ６）へと伸びる２つの平面（図１６での点線）に挟まれる範囲の位置、すなわち入力部２０に対する縦方向の視野角θｍ内または視野角θｍ＋１内に含まれる位置に限られる。換言すると、覗き見防止カバーの内部からの光は、傾斜面３４０により光が遮られるため、開口部３３０の視野角θｍ内または視野角θｍ＋１内に含まれる方向にしか届かない。なお、このような覗き見防止カバー３０は、上記保護角度αの要件を十分に満たすものであると言える。
【００６０】
傾斜面３４０は入力部２０の操作者側から離れるにつれて低くなる斜面であるため、開口の角度を示す視野角θｍおよび視野角θｍ＋１は、真上（天井）の方向ではなく、入力部２０の操作者の視線が位置する方向を向くことになる。したがって、このような傾斜面３４０と当該傾斜面３４０の間に位置する開口部３３０によって、入力部２０の上方からの覗き見を防止しつつ、入力部２０の操作者が入力部２０および入力操作時の手を見えるようにすることが可能となる。
【００６１】
さらに、第１の実施形態と同様に、上方からの覗き見を防ぎつつ入力部２０および入力操作時の手を操作者により見やすくする最適な覗き見防止カバー３０を実現するために、開口部３３０は、一部または全部で、上記視野角θｍ（あるいは視野角θｍ＋１）の大きさまたは向きが異なっていてもよい。第１の実施形態と同様に、傾斜面１４０の傾斜角、傾斜面１４０の傾斜方向の長さ、または隣接する傾斜面３４０間のギャップを異なるようにすることで、開口部３３０の視野角θｍ（あるいは視野角θｍ＋１）の大きさまたは向きを異なるようにしてもよい。傾斜面３４０の傾斜角、傾斜面３４０の傾斜方向の長さ、および隣接する傾斜面３４０間のギャップは、波状部材３１０の各凹凸の大きさ、形状、間隔等を変えることにより、異なるようにすることができる。
【００６２】
（その他の利点）
覗き見防止カバー３０が有する側部部材４００は、例えば、入力部２０の操作者１０００の斜め後ろや横からの覗き見も防止することができる。
【００６３】
また、側部部材４００に含まれる突出部材４１０は、覗き見防止カバー３０の中に手を入れやすくなるように上部部材３００の操作者側の端部が高くなったとしても、それでもなお入力部２０の操作者１０００の斜め後ろや横からの覗き見を防止することができる。
【００６４】
また、突出部材４１０と継合する継合部材３５０は、突出部材４１０の斜め上から入力部２０が覗き込まれたとしても、図１４に示されているように入力部２０の一部または全部を隠すことができる。
【００６５】
また、上位部材３００に含まれるつなぎ板状部材３２０は、入力部２０の操作者の斜め後ろや横から開口部３３０の中への覗き込みに対しても、入力操作を隠すことができる。つなぎ板状部材４２０が、覗き見防止カバー３０の内側からの光を遮断するためである。
【００６６】
また、両端に存在する面積のより小さい開口部と、両端以外に存在する面積のより大きい開口部は、入力部２０および入力操作時の手を操作者１０００に見えやすく維持しつつ、入力部２０の操作者１０００の斜め後ろや横から入力部２０をより見えにくくすることができる。
【００６７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６８】
実施形態として、自動取引装置が例示的に説明されたが、本発明はかかる例に限定されない。自動取引装置の代わりに、情報処理端末に上記覗き見防止カバーが備えられてもよい。さらに、当該覗き見防止カバーは、自動取引装置または情報処理端末に予め備え付けられていなくてもよく、自動取引装置または情報処理端末に備え付け可能であればよい。
【００６９】
また、第１の実施形態と第２の実施形態が分けて説明されたが、各実施形態の構成要素は自由に組合せることができる。一例として、第２の実施形態で説明された継合部材３５０および突出部材４１０が、第２の実施形態の覗き見防止カバー１０に含まれていてもよい。その他にも、構成要素の様々な組合せが実現され得る。
【符号の説明】
【００７０】
１、３          自動取引装置
１０、３０      覗き見防止カバー
２０            入力部
１００、３００  上部部材
１１０          傾斜板状部材
１２０、３２０  つなぎ板状部材
１３０、３３０  開口部
１４０、３４０  傾斜面
２００、４００  側部部材
３１０          波状部材
３５０          継合部材
４１０          突出部材
１０００        操作者
１１００        最奥点
２０００        監視カメラ
【図１】
0005747652.tif 000003
【図２】
0005747652.tif 000004
【図３】
0005747652.tif 000005
【図４】
0005747652.tif 000006
【図５】
0005747652.tif 000007
【図６】
0005747652.tif 000008
【図７】
0005747652.tif 000009
【図８】
0005747652.tif 000010
【図９】
0005747652.tif 000011
【図１０】
0005747652.tif 000012
【図１１】
0005747652.tif 000013
【図１２】
0005747652.tif 000014
【図１３】
0005747652.tif 000015
【図１４】
0005747652.tif 000016
【図１５】
0005747652.tif 000017
【図１６】
0005747652.tif 000018